(57)【要約】      （修正有）【課題】リアウインドウの内壁面に沿って隙間なく貼着することができ、見栄えが良く内部空間の有効利用を図ることができるハイマウントストップランプ装置を提供する。【解決手段】発光部材１２が設置された基板１０と貫通孔２１を有するスペーサ２０と調光フィルム３０とを備え、基板にスペーサをその貫通孔が発光部材を内在させながら重ねて貼り付けるとともにこのスペーサの表面に調光フィルムを重ねた状態で貼り付けて構成される。基板とスペーサは柔軟なフィルム状であり、調光フィルムとともに各々両面テープによって貼着され、更に、調光フィルムはリアウインドウの内壁面に両面テープで貼着可能とした。【選択図】図４
0003188651.tif 000002
【実用新案登録請求の範囲】
【請求項１】
発光部材の設置された基板と貫通孔を有するスペーサと調光フィルムとを備え、前記基板に前記スペーサをその貫通孔が前記発光部材を内在させながら重ねた状態で貼り付けるとともにこのスペーサの表面に前記調光フィルムを重ねた状態で貼り付け、リアウインドウに設置されて車両の制動時にブレーキ灯と連動して点灯するハイマウントストップランプ装置において、前記基板と前記スペーサとは柔軟なフィルム状であるとともに前記基板と前記スペーサ及び前記スペーサと前記調光フィルムは各々重ねられた状態で両面テープによって貼着され、更に、前記調光フィルムは前記リアウインドウの内壁面に両面テープで貼着可能にしたことを特徴とするハイマウントストップランプ装置。
【請求項２】
前記基板と前記スペーサと前記調光フィルムは略同じ形状で略同じ厚さであり、かつ、各々の形状が一致するように重ねられていることを特徴とする請求項１のハイマウントストップランプ装置。
【考案の詳細な説明】
【技術分野】
【０００１】
この考案はハイマウントストップランプ装置に関し、車両のリアウインドウに設置され、当該車両の制動時を後方の車両等に補助的に知らせるために使用される。  
【背景技術】
【０００２】
従来におけるこの種のハイマウントストップランプ装置においては、ケーシング内に基板、ＬＥＤランプ等を組み付けたものであり、車両におけるリアウインドウの上部又は下部に設置され、ブレーキ灯と連動して点灯することにより当該車両の制動時を後方の車両等に知らせていた。
【０００３】
【特許文献１】特開平１０−００９８８号公報
【特許文献２】特開平０７−５２７０８号公報
【考案の開示】
【考案が解決しようとする課題】
【０００４】
しかしながら、かかる従来のハイマウントストップランプ装置にあってはケーシングにレンズ、取付ステーなどの成型部品を必要としたため、部品点数が多くなるとともに構造が複雑になり、この結果、製造コストが高額化せざるを得ないという不都合を有した。
【０００５】
この不都合を解消することがこの考案の課題である。
【課題を解決するための手段】
【０００６】
前記課題を達成するために、この考案にかかるハイマウントストップランプ装置においては、発光部材の設置された基板と貫通孔を有するスペーサと調光フィルムとを備え、前記基板に前記スペーサをその貫通孔が前記発光部材を内在させながら重ねた状態で貼り付けるとともにこのスペーサの表面に前記調光フィルムを重ねた状態で貼り付け、リアウインドウに設置されて車両の制動時にブレーキ灯と連動して点灯するハイマウントストップランプ装置において、前記基板と前記スペーサとは柔軟なフィルム状であるとともに前記基板と前記スペーサ及び前記スペーサと前記調光フィルムは各々重ねられた状態で両面テープによって貼着され、更に、前記調光フィルムは前記リアウインドウの内壁面に両面テープで貼着可能にしたものである。
【０００７】
この場合、前記基板と前記スペーサと前記調光フィルムを略同じ形状で略同じ厚さに形成し、かつ、各々の形状が一致するように重ねることができる。
【考案の効果】
【０００８】
この考案に係るハイマウントストップランプ装置は上記のように構成されているため、即ち、発光部材の設置された基板と貫通孔を有するスペーサと調光フィルムとを備え、前記基板に前記スペーサをその貫通孔が前記発光部材を内在させながら重ねた状態で貼り付けるとともにこのスペーサの表面に前記調光フィルムを重ねた状態で貼り付け、リアウインドウに設置されて車両の制動時にブレーキ灯と連動して点灯するハイマウントストップランプ装置において、前記基板と前記スペーサとは柔軟なフィルム状であるとともに前記基板と前記スペーサ及び前記スペーサと前記調光フィルムは各々重ねられた状態で両面テープによって貼着され、更に、前記調光フィルムは前記リアウィンドウの内壁面に両面テープで貼着可能にしたため、車両におけるリアウインドウの内壁面に沿って滑らかに隙間なく貼着することができる。
【０００９】
よって、この考案に係るハイマウントストップランプ装置を使用すれば、従来必要としたレンズ及びケーシング、取付ステーなどの成型部品は不要となり構造が簡単になるため、製造コストを大幅に削減することができる。また、リアウインドウの内壁面に沿って滑らかに隙間なく貼着することができるため、車両においては見栄えが良くなるとともに内部空間の有効利用を図ることができる。
【００１０】
この場合、前記基板と前記スペーサと前記調光フィルムを略同じ形状で略同じ厚さに形成し、かつ、各々の形状が一致するように重ねることができる。
【考案を実施するための最良の形態】
【００１１】
この考案に係るハイマウントストップランプ装置は実施するにあたって下記の構成に最も主要な特徴を有する。
【００１２】
「発光部材」としてＬＥＤチップを使用する。
【００１３】
「電子部品」には抵抗チップ等が該当する。
【００１４】
「貼着」には主として透明な両面接着テープを使用する。なお、周囲のみに両面テー
プを貼る場合には黒色等の着色両面テープを使用することもできる。
【００１５】
「調光フィルム」は光を屈折、拡散させるために使用する。
【実施例】
【００１６】
以下、この考案の実施例を図面に基づいて説明する。
【００１７】
図１はこの考案に係るハイマウントストップランプ装置の実施例の使用状態断面図、図２は図１におけるII矢視斜視図、図３は図２におけるIII−III線断面図、図４は図２における分解斜視図である。
【００１８】
図１において、Ｍは車体(四輪自動車)後部、Ｒはリアウインドウである。Ａはこの考案に係るハイマウントストップランプ装置(以下「ストップランプ装置」と記す)であり、前記リアウインドウＲの内壁面に両面テープによって貼着されている。このストップランプ装置Ａは柔軟性のフィルム状である。  
【００１９】
図２〜図４に基づいて前記ストップランプ装置Ａを詳述する。
【００２０】
１０は基板であり、前記ストップランプ装置Ａの主要部を構成している。この基板１０は合成樹脂によって柔軟なフィルム状に形成されている。１１は銅箔パターンであり、前記基板に張り巡らされている。この銅箔パターン１１も肉薄のフィルム状をしている。このため前記基板全体は柔軟性を備えている。なお前記銅箔パターン１１はハーネスを介してブレーキ灯に接続されている。
【００２１】
１２、１２、…はＬＥＤチップ(この考案の「発光部材」に相当する)、また、１３、１３、…は抵抗チップであり、いずれも前記基板１０の表面に設置されている。これらのＬＥＤチップ１２、１２、…及び抵抗チップ１３、１３、…は前記銅箔パターン１１に接続している。
【００２２】
２０はスペーサであり、前記基板１０の表面に両面テープによって貼着されている。このスペーサ２０はフィルム状であり柔軟性に富んでいる。２１、２１、…は貫通孔であり、前記スペーサ２０に形成されている。なお、前記両面テープの前記貫通孔２１を覆う部分は切りかかれている。このため、この貫通孔２１、２１、…には前記ＬＥＤチップ１２、１２、…、または前記抵抗チップが内在している。よって、前記ＬＥＤチップ１２、１２、…及び前記抵抗チップ１３、１３、…が前記基板１０から突出していても前記スペーサ２０の表面は平面状になっている。
【００２３】
３０は調光フィルムであり、前記スペーサ２０に両面テープによって貼着されている。この調光フィルム３０は、前記ＬＥＤチップ１２，１２，…からの光の方向を屈折、拡散させるためのものである。この調光フィルム３０によって前記ストップランプＡが斜め後下がりの前記リアウインドウＲの内壁面に貼着されても前記ＬＥＤ地チップ１２，１２、…からの光は屈折、拡散され水平方向に照射される。
【産業上の利用可能性】
【００２４】
この考案に係るハイマウントストップランプ装置は、従来必要としたレンズ及びケーシング、取付ステーなどの成型部品は不要となり構造が簡単になるため、製造コストを大幅に削減することができる。また、リアウインドウの内壁面に沿って滑らかに隙間なく貼着することができるため、車両においては見栄えが良くなるとともに、内部空間の有効利用を図ることができる。産業上の利用可能性は高いものである。
【図面の簡単な説明】
【００２５】
【図１】図１はこの考案に係るハイマウントストップランプ装置の実施例の使用状態の断面図である。
【図２】図２は図１におけるII矢視斜視図である。
【図３】図３は図２におけるIII−III線断面図である。
【図４】図４は図２における分解斜視図である。
【符号の説明】
【００２６】
Ｍ  …  車体(四輪自動車)後部
Ｒ  …  リアウインドウ
Ａ  …  ハイマウントストップランプ装置(「ストップランプ装置」) 
１０  …  基板
１１  …  銅箔パターン
１２  …  ＬＥＤチップ(「発光部材」)
１３  …  抵抗チップ
２０  …  スペーサ
２１  …  貫通孔
３０  …  調光フィルム
【図１】
0003188651.tif 000003
【図２】
0003188651.tif 000004
【図３】
0003188651.tif 000005
【図４】
0003188651.tif 000006